(57)【要約】  本開示のいくつかの態様は、電力制御のための方法および装置に関する。たとえば、方法は、第1の無線アクセス技術と関連付けられたアップリンク上の通信に対する第1の電力制限および第2の無線アクセス技術と関連付けられたアップリンク上の通信に対する第2の電力制限の合計が、ユーザ機器によってアップリンク上で通信するための全体的電力制限より大きいかどうかを決定するステップを含むユーザ機器によるワイヤレス通信を提供される。方法は、合計が全体的電力制限より大きいときに、第1の時間の間に第1の無線アクセス技術と関連付けられたアップリンク上で送信するために使用される電力をスケールダウンするか、または第1の時間の間に第1の無線アクセス技術と関連付けられたアップリンク上の送信をドロップするステップをさらに含む。
2021505030.tif 000002
【特許請求の範囲】
【請求項１】
ユーザ機器によるワイヤレス通信のための方法であって、
第1の時間において、第1の無線アクセス技術と関連付けられたアップリンク上と第2の無線アクセス技術と関連付けられたアップリンク上の両方で通信するために、前記ユーザ機器のスケジューリングを示す情報を前記ユーザ機器において受信するステップであって、前記ユーザ機器が、前記第1の無線アクセス技術と関連付けられた前記アップリンク上の通信に対する第1の電力制限および前記第2の無線アクセス技術と関連付けられた前記アップリンク上の通信に対する第2の電力制限を有する、ステップと、
前記第1の電力制限と前記第2の電力制限の合計が、前記ユーザ機器によるアップリンク上の通信に対する全体的電力制限より大きいかどうかを決定するステップと、
前記第1の時間の間に前記第2の電力制限に基づいて、前記第2の無線アクセス技術と関連付けられた前記アップリンク上で前記ユーザ機器によって通信するステップと、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の送信をドロップするステップとを含む、方法。
【請求項２】
前記合計が前記全体的電力制限より大きくないときに、前記第1の電力制限に基づいて、前記第1の無線アクセス技術と関連付けられた前記アップリンク上で前記ユーザ機器によって通信するステップをさらに含む、請求項1に記載の方法。
【請求項３】
前記第1の無線アクセス技術がニューラジオ(NR)を含み、前記第2の無線アクセス技術がロングタームエボリューション(LTE)を含む、請求項1に記載の方法。
【請求項４】
前記全体的電力制限、前記第1の電力制限、および前記第2の電力制限の構成を示す情報を受信するステップをさらに含む、請求項1に記載の方法。
【請求項５】
前記第2の無線アクセス技術と関連付けられた前記アップリンク上で前記ユーザ機器によって通信するステップが、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信するステップを含む、請求項1に記載の方法。
【請求項６】
前記第2の無線アクセス技術と関連付けられた前記アップリンク上で前記ユーザ機器によって通信するステップが、前記第2の無線アクセス技術をサービスするセルの時分割複信(TDD)アップリンク-ダウンリンク(DL-UL)構成に基づいて、アップリンク(UL)構成を利用して通信するステップを含む、請求項1に記載の方法。
【請求項７】
ユーザ機器であって、
メモリと、
前記メモリに結合されたプロセッサとを備え、前記プロセッサが、
第1の時間において、第1の無線アクセス技術と関連付けられたアップリンク上と第2の無線アクセス技術と関連付けられたアップリンク上の両方で通信するために、前記ユーザ機器のスケジューリングを示す情報を受信することであって、前記ユーザ機器が、前記第1の無線アクセス技術と関連付けられた前記アップリンク上の通信に対する第1の電力制限および前記第2の無線アクセス技術と関連付けられた前記アップリンク上の通信に対する第2の電力制限を有する、受信することと、
前記第1の電力制限と前記第2の電力制限の合計が、前記ユーザ機器によるアップリンク上の通信に対する全体的電力制限より大きいかどうかを決定することと、
前記第1の時間の間に前記第2の電力制限に基づいて、前記第2の無線アクセス技術と関連付けられた前記アップリンク上で通信することと、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の送信をドロップすることとを行うように構成される、ユーザ機器。
【請求項８】
前記プロセッサが、前記合計が前記全体的電力制限より大きくないときに、前記第1の電力制限に基づいて、前記第1の無線アクセス技術と関連付けられた前記アップリンク上で通信するようにさらに構成される、請求項7に記載のユーザ機器。
【請求項９】
前記第1の無線アクセス技術がニューラジオ(NR)を含み、前記第2の無線アクセス技術がロングタームエボリューション(LTE)を含む、請求項7に記載のユーザ機器。
【請求項１０】
前記プロセッサが、前記全体的電力制限、前記第1の電力制限、および前記第2の電力制限の構成を示す情報を受信するようにさらに構成される、請求項7に記載のユーザ機器。
【請求項１１】
前記第2の無線アクセス技術と関連付けられた前記アップリンク上で通信することが、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信することを含む、請求項7に記載のユーザ機器。
【請求項１２】
前記第2の無線アクセス技術と関連付けられた前記アップリンク上で通信することが、前記第2の無線アクセス技術をサービスするセルの時分割複信(TDD)アップリンク-ダウンリンク(DL-UL)構成に基づいて、アップリンク(UL)構成を利用して通信することを含む、請求項7に記載のユーザ機器。
【請求項１３】
ユーザ機器であって、
第1の時間において、第1の無線アクセス技術と関連付けられたアップリンク上と第2の無線アクセス技術と関連付けられたアップリンク上の両方で通信するために、前記ユーザ機器のスケジューリングを示す情報を受信するための手段であって、前記ユーザ機器が、前記第1の無線アクセス技術と関連付けられた前記アップリンク上の通信に対する第1の電力制限および前記第2の無線アクセス技術と関連付けられた前記アップリンク上の通信に対する第2の電力制限を有する、手段と、
前記第1の電力制限と前記第2の電力制限の合計が、前記ユーザ機器によるアップリンク上の通信に対する全体的電力制限より大きいかどうかを決定するための手段と、
前記第1の時間の間に前記第2の電力制限に基づいて、前記第2の無線アクセス技術と関連付けられた前記アップリンク上で通信するための手段と、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の送信をドロップするための手段とを含む、ユーザ機器。
【請求項１４】
前記合計が前記全体的電力制限より大きくないときに、前記第1の電力制限に基づいて、前記第1の無線アクセス技術と関連付けられた前記アップリンク上で通信するための手段をさらに含む、請求項13に記載のユーザ機器。
【請求項１５】
前記第1の無線アクセス技術がニューラジオ(NR)を含み、前記第2の無線アクセス技術がロングタームエボリューション(LTE)を含む、請求項13に記載のユーザ機器。
【請求項１６】
前記全体的電力制限、前記第1の電力制限、および前記第2の電力制限の構成を示す情報を受信するための手段をさらに含む、請求項13に記載のユーザ機器。
【請求項１７】
前記第2の無線アクセス技術と関連付けられた前記アップリンク上で通信するための手段が、前記第2の無線アクセス技術をサービスするセル内で、周波数分割複信(FDD)ダウンリンク(DL)ハイブリッド自動再送要求(HARQ)および時分割複信(TDD)アップリンク(UL)HARQタイミングを利用して通信するための手段を含む、請求項13に記載のユーザ機器。
【請求項１８】
前記第2の無線アクセス技術と関連付けられた前記アップリンク上で通信するための手段が、前記第2の無線アクセス技術をサービスするセルの時分割複信(TDD)アップリンク-ダウンリンク(DL-UL)構成に基づいて、アップリンク(UL)構成を利用して通信するための手段を含む、請求項13に記載のユーザ機器。
【請求項１９】
命令を記憶する非一時的コンピュータ可読記憶媒体であって、前記命令が、ユーザ機器(UE)によって実行されるとき、前記UEにワイヤレス通信のための方法を実行させ、前記方法が、
第1の時間において、第1の無線アクセス技術と関連付けられたアップリンク上と第2の無線アクセス技術と関連付けられたアップリンク上の両方で通信するために、前記ユーザ機器のスケジューリングを示す情報を前記ユーザ機器において受信するステップであって、前記ユーザ機器が、前記第1の無線アクセス技術と関連付けられた前記アップリンク上の通信に対する第1の電力制限および前記第2の無線アクセス技術と関連付けられた前記アップリンク上の通信に対する第2の電力制限を有する、ステップと、
前記第1の電力制限と前記第2の電力制限の合計が、前記ユーザ機器によるアップリンク上の通信に対する全体的電力制限より大きいかどうかを決定するステップと、
前記第1の時間の間に前記第2の電力制限に基づいて、前記第2の無線アクセス技術と関連付けられた前記アップリンク上で前記ユーザ機器によって通信するステップと、
前記合計が前記全体的電力制限より大きいときに、前記第1の時間の間に前記第1の無線アクセス技術と関連付けられた前記アップリンク上で送信するために使用される電力をスケールダウンするか、または前記第1の時間の間に前記第1の無線アクセス技術と関連付けられた前記アップリンク上の送信をドロップするステップとを含む、非一時的コンピュータ可読記憶媒体。
【請求項２０】
前記方法が、前記合計が前記全体的電力制限より大きくないときに、前記第1の電力制限に基づいて、前記第1の無線アクセス技術と関連付けられた前記アップリンク上で前記ユーザ機器によって通信するステップをさらに含む、請求項19に記載の非一時的コンピュータ可読記憶媒体。
【発明の詳細な説明】
【技術分野】
【０００１】
関連出願の相互参照
本出願は、2017年11月28日に出願した米国仮特許第62/591,688号の利益を主張する、2018年11月26日に出願した米国出願第16/199,982号の優先権を主張するものである。両出願の内容全体が、参照により本明細書に組み込まれている。
【０００２】
本開示は、一般に、通信システムに関し、より詳細には、電力制御のための方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNB、次世代ノードB(gNB)など)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が望まれる。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
本開示のいくつかの態様は、ワイヤレス通信のための方法を提供する。方法は、一般に、ユーザ機器が第1の無線アクセス技術と関連付けられたアップリンク上の通信に対する第1の電力制限および第2の無線アクセス技術と関連付けられたアップリンク上の通信に対する第2の電力制限を有することに基づいて、複数のアップリンク送信時間のうちの任意のアップリンク送信時間内に、第1の無線アクセス技術と関連付けられたアップリンク上で通信するようにユーザ機器をスケジュールするステップを含み、第1の電力制限と第2の電力制限の合計は、アップリンク上の通信に対する全体的電力制限以下である。方法は、第2の無線アクセス技術に対して指定されるアップリンク送信時間内に、第1の無線アクセス技術と関連付けられたアップリンク上でユーザ機器と通信するステップをさらに含む。
【０００９】
本開示のいくつかの態様は、ワイヤレス通信のための方法を提供する。方法は、一般に、ユーザ機器が第1の無線アクセス技術と関連付けられたアップリンク上の通信に対する第1の電力制限および第2の無線アクセス技術と関連付けられたアップリンク上の通信に対する第2の電力制限を有することに基づいて、第2の無線アクセス技術に対して指定されない複数のアップリンク送信時間のうちのアップリンク送信時間上でのみ、第1の無線アクセス技術と関連付けられたアップリンク上で通信するようにユーザ機器をスケジュールするステップを含み、第1の電力制限と第2の電力制限の合計は、アップリンク上の通信に対する全体的電力制限より大きい。方法は、第2の無線アクセス技術に対して指定されないアップリンク送信時間内に、第1の無線アクセス技術と関連付けられたアップリンク上でユーザ機器と通信するステップをさらに含む。
【００１０】
本開示のいくつかの態様は、ユーザ機器によるワイヤレス通信のための方法を提供する。方法は、一般に、第1の時間において、第1の無線アクセス技術と関連付けられたアップリンク上と第2の無線アクセス技術と関連付けられたアップリンク上の両方で通信するために、ユーザ機器のスケジューリングを示す情報をユーザ機器において受信するステップを含み、ユーザ機器は、第1の無線アクセス技術と関連付けられたアップリンク上の通信に対する第1の電力制限および第2の無線アクセス技術と関連付けられたアップリンク上の通信に対する第2の電力制限を有する。方法は、第1の電力制限と第2の電力制限の合計が、ユーザ機器によるアップリンク上の通信に対する全体的電力制限より大きいかどうかを決定するステップをさらに含む。方法は、第1の時間の間に第2の電力制限に基づいて、第2の無線アクセス技術と関連付けられたアップリンク上でユーザ機器によって通信するステップをさらに含む。方法は、合計が全体的電力制限より大きいときに、第1の時間の間に第1の無線アクセス技術と関連付けられたアップリンク上で送信するために使用される電力をスケールダウンするか、または第1の時間の間に第1の無線アクセス技術と関連付けられたアップリンク上の送信をドロップするステップをさらに含む。
【００１１】
本開示のいくつかの態様は、メモリとメモリに結合されたプロセッサとを含むユーザ機器を提供する。プロセッサは、第1の時間において、第1の無線アクセス技術と関連付けられたアップリンク上と第2の無線アクセス技術と関連付けられたアップリンク上の両方で通信するために、ユーザ機器のスケジューリングを示す情報を受信するように構成され、ユーザ機器は、第1の無線アクセス技術と関連付けられたアップリンク上の通信に対する第1の電力制限および第2の無線アクセス技術と関連付けられたアップリンク上の通信に対する第2の電力制限を有する。プロセッサは、第1の電力制限と第2の電力制限の合計が、ユーザ機器によるアップリンク上の通信に対する全体的電力制限より大きいかどうかを決定するようにさらに構成される。プロセッサは、第1の時間の間に第2の電力制限に基づいて、第2の無線アクセス技術と関連付けられたアップリンク上で通信するようにさらに構成される。プロセッサは、合計が全体的電力制限より大きいときに、第1の時間の間に第1の無線アクセス技術と関連付けられたアップリンク上で送信するために使用される電力をスケールダウンするように、または第1の時間の間に第1の無線アクセス技術と関連付けられたアップリンク上の送信をドロップするように、さらに構成される。
【００１２】
本開示のいくつかの態様は、ユーザ機器を提供する。ユーザ機器は、一般に、第1の時間において、第1の無線アクセス技術と関連付けられたアップリンク上と第2の無線アクセス技術と関連付けられたアップリンク上の両方で通信するために、ユーザ機器のスケジューリングを示す情報を受信するための手段を含み、ユーザ機器は、第1の無線アクセス技術と関連付けられたアップリンク上の通信に対する第1の電力制限および第2の無線アクセス技術と関連付けられたアップリンク上の通信に対する第2の電力制限を有する。ユーザ機器は、第1の電力制限と第2の電力制限の合計が、ユーザ機器によるアップリンク上の通信に対する全体的電力制限より大きいかどうかを決定するための手段をさらに含む。ユーザ機器は、第1の時間の間に第2の電力制限に基づいて、第2の無線アクセス技術と関連付けられたアップリンク上で通信するための手段をさらに含む。ユーザ機器は、合計が全体的電力制限より大きいときに、第1の時間の間に第1の無線アクセス技術と関連付けられたアップリンク上で送信するために使用される電力をスケールダウンするか、または第1の時間の間に第1の無線アクセス技術と関連付けられたアップリンク上の送信をドロップするための手段をさらに含む。
【００１３】
本開示のいくつかの態様は、命令を記憶する非一時的コンピュータ可読記憶媒体を提供し、命令は、ユーザ機器(UE)によって実行されると、UEにワイヤレス通信のための方法を実行させる。方法は、一般に、第1の時間において、第1の無線アクセス技術と関連付けられたアップリンク上と第2の無線アクセス技術と関連付けられたアップリンク上の両方で通信するために、ユーザ機器のスケジューリングを示す情報をユーザ機器において受信するステップを含み、ユーザ機器は、第1の無線アクセス技術と関連付けられたアップリンク上の通信に対する第1の電力制限および第2の無線アクセス技術と関連付けられたアップリンク上の通信に対する第2の電力制限を有する。方法は、第1の電力制限と第2の電力制限の合計が、ユーザ機器によるアップリンク上の通信に対する全体的電力制限より大きいかどうかを決定するステップをさらに含む。方法は、第1の時間の間に第2の電力制限に基づいて、第2の無線アクセス技術と関連付けられたアップリンク上でユーザ機器によって通信するステップをさらに含む。方法は、合計が全体的電力制限より大きいときに、第1の時間の間に第1の無線アクセス技術と関連付けられたアップリンク上で送信するために使用される電力をスケールダウンするか、または第1の時間の間に第1の無線アクセス技術と関連付けられたアップリンク上の送信をドロップするステップをさらに含む。
【００１４】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１５】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１６】
【図１】本開示の態様が実行され得る例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的な基地局(BS)およびユーザ機器(UE)の設計を概念的に示すブロック図である。
【図５】本開示のいくつかの態様による、通信プロトコルスタックを実装するための例を示す図である。
【図６】本開示のいくつかの態様による、DL中心のサブフレームの一例を示す図である。
【図７】本開示のいくつかの態様による、UL中心のサブフレームの一例を示す図である。
【図８】本開示の態様による、ユーザ機器（UE）および／または基地局(BS)によるワイヤレス通信のための例示的な動作を示す図である。
【図９】本開示の態様による、ユーザ機器(UE)および/または基地局(BS)によるワイヤレス通信のための例示的な動作を示す図である。
【図１０】本開示の態様による、ユーザ機器(UE)によるワイヤレス通信のための例示的な動作を示す図である。
【図１１】本開示の態様による、本明細書で開示する技法に対する動作を実行するように構成された様々な構成要素を含み得る通信デバイスを示す図である。
【発明を実施するための形態】
【００１７】
理解を容易にするために、可能な場合、図に共通する同一の要素を示すために、同一の参照番号が使用されている。特定の具陳なしに、一態様において開示する要素が他の態様において有利に利用され得ることが企図される。
【００１８】
本開示の態様は、ニューラジオ(NR)(ニューラジオアクセス技術または5G技術)のための装置、方法、処理システム、およびコンピュータ可読媒体を提供する。
【００１９】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、60GHz)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００２０】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２１】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。「LTE」は、一般に、LTE、LTEアドバンスト(LTE-A)、免許不要スペクトルにおけるLTE(LTEホワイトスペース)などを指す。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものな
どの他の世代ベースの通信システムにおいて適用され得る。
【００２２】
例示的なワイヤレス通信システム
図1は、本開示の態様が実行され得る、ニューラジオ(NR)または5Gネットワークなどの、例示的なワイヤレスネットワーク100を示す。
【００２３】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、gNB、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２４】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２５】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２６】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２７】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００２８】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００２９】
ネットワークコントローラ130は、BSのセットに結合され、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００３０】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、ヘルスケアデバイス、生体センサ/デバイス、スマートウォッチ、スマート衣料、スマートグラス、バーチャルリアリティゴーグル、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサ、スマートメータ/センサ、ロボット、ドローン、工業生産機器、測位デバイス(たとえば、GPS、Beidou、地上波(terrestrial))、またはワイヤレス媒体もしくはワイヤード媒体を介して通信するように構成された任意の他の適切なデバイスと呼ばれる場合もある。いくつかのUEは、マシンタイプ通信(MTC)デバイスまたは発展型MTC(eMTC)デバイスと見なされる場合があり、MTCデバイスまたはeMTCデバイスは、基地局、別のリモートデバイス、または何らかの他のエンティティと通信し得るリモートデバイスを含み得る。マシンタイプ通信(MTC)とは、通信の少なくとも一端上の少なくとも1つのリモートデバイスを伴う通信を指す場合があり、必ずしも人間の対話を必要とするとは限らない1つまたは複数のエンティティを伴うデータ通信の形態を含んでよい。MTC UEは、たとえば、パブリックランドモバイルネットワーク(PLMN:Public Land Mobile Networks)を通じてMTCサーバおよび/または他のMTCデバイスとのMTC通信が可能なUEを含み得る。MTC UEおよびeMTC UEは、BS、別のデバイス(たとえば、リモートデバイス)、または何らかの他のエンティティと通信することができる、たとえば、ロボット、ドローン、リモートデバイス、センサ、メータ、モニタ、カメラ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。MTC UEならびに他のUEは、モノのインターネット(IoT)デバイス、たとえば、狭帯域IoT(NB-IoT)デバイスとして実装され得る。
【００３１】
図1において、両矢印を有する実線は、UEとサービングBSとの間の所望の送信を示し、サービングBSは、ダウンリンク(DL)および/またはアップリンク(UL)上でUEにサービスするように指定されたBSである。両矢印を有する破線は、UEとBSとの間の干渉する送信を示す。
【００３２】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(たとえば、6個のリソースブロック)をカバーすることができ、1.25、2.5、5、10または20MHzのシステム帯域幅に対して、それぞれ、1、2、4、8または16個のサブバンドが存在し得る。
【００３３】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する50個のサブフレームで構成され得る。結果として、各サブフレームは0.2msの長さを有することができる。各サブフレームは、データ送信用のリンク方向(たとえば、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３４】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３５】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３６】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３７】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、gNB、または何らかの他の用語で呼ばれることもある)を含み得る。上記で説明したように、TRPは「セル」と交換可能に使用され得る。
【００３８】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００３９】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００４０】
アーキテクチャは、特徴および/または構成要素をLTEと共有し得る。態様によれば、次世代AN(NG-AN)210は、NRとの二重接続性をサポートし得る。NG-ANは、LTEおよびNRに対して共通フロントホールを共有し得る。
【００４１】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００４２】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００４３】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４４】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４５】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４６】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、Tx/Rx222、プロセッサ466、458、464、および/もしくはコントローラ/プロセッサ480、ならびに/またはBS110のアンテナ434、プロセッサ420、438、および/もしくはコントローラ/プロセッサ440は、本明細書で説明し、示す動作を実行するために使用され得る。
【００４７】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４８】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、TX MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００４９】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。1つまたは複数の事例によれば、CoMP態様は、アンテナならびにいくつかのTx/Rx機能を、CoMP態様が分散されたユニット内に存在するように提供することを含むことができる。たとえば、いくつかのTx/Rx処理は中央ユニット内で行われ得る一方で、他の処理は分散されたユニットにおいて行われ得る。たとえば、図に示す1つまたは複数の態様によれば、BS変調器/復調器432は、分散されたユニット内にあってもよい。
【００５０】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００５１】
コントローラ/プロセッサ440および480は、それぞれ基地局110およびUE120における動作を指示し得る。基地局110におけるプロセッサ440ならびに/または他のプロセッサおよびモジュールは、本明細書で説明する技法に対するプロセスを実行または指示し得る。UE120におけるプロセッサ480ならびに/または他のプロセッサおよびモジュールも、本明細書で説明する技法に対するプロセスを実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５２】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５３】
第1のオプション505-aは、プロトコルスタックの実装が集中ネットワークアクセスデバイス(たとえば、図2のANC202)と分散ネットワークアクセスデバイスとの間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５４】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５５】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５６】
図6は、DL中心のサブフレームの一例を示す図600である。DL中心のサブフレームは、制御部分602を含み得る。制御部分602は、DL中心のサブフレームの最初の部分または開始部分に存在し得る。制御部分602は、DL中心のサブフレームの様々な部分に対応する様々なスケジューリング情報および/または制御情報を含み得る。いくつかの構成では、制御部分602は、図6に示すように、物理DL制御チャネル(PDCCH)であってよい。DL中心のサブフレームは、DLデータ部分604も含み得る。DLデータ部分604は時々、DL中心のサブフレームのペイロードと呼ばれ得る。DLデータ部分604は、スケジューリングエンティティ(たとえば、UEまたはBS)から従属エンティティ(たとえば、UE)にDLデータを通信するために利用される通信リソースを含み得る。いくつかの構成では、DLデータ部分604は、物理DL共有チャネル(PDSCH)であってよい。
【００５７】
DL中心のサブフレームは、共通UL部分606も含み得る。共通UL部分606は時々、ULバースト、共通ULバースト、および/または様々な他の適切な用語で呼ばれ得る。共通UL部分606は、DL中心のサブフレームの様々な他の部分に対応するフィードバック情報を含み得る。たとえば、共通UL部分606は、制御部分602に対応するフィードバック情報を含み得る。フィードバック情報の非限定的な例は、ACK信号、NACK信号、HARQインジケータ、および/または様々な他の適切なタイプの情報を含み得る。共通UL部分606は、ランダムアクセスチャネル(RACH)手順、スケジューリング要求(SR)に関する情報、および様々な他の適切なタイプの情報などの、追加のまたは代替の情報を含み得る。図6に示すように、DLデータ部分604の終わりは、共通UL部分606の始まりから時間的に分離され得る。この時間の分離は時々、ギャップ、ガード期間、ガードインターバル、および/または様々な他の適切な用語で呼ばれ得る。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が、必ずしも本明細書で説明する態様から逸脱することなく存在し得ることを、当業者は理解されよう。
【００５８】
図7は、UL中心のサブフレームの一例を示す図700である。UL中心のサブフレームは、制御部分702を含み得る。制御部分702は、UL中心のサブフレームの最初の部分または開始部分に存在し得る。図7における制御部分702は、図6を参照しながら上記で説明した制御部分と同様であってよい。UL中心のサブフレームは、ULデータ部分704も含み得る。ULデータ部分704は時々、UL中心のサブフレームのペイロードと呼ばれ得る。UL部分は、従属エンティティ(たとえば、UE)からスケジューリングエンティティ(たとえば、UEまたはBS)にULデータを通信するために利用される通信リソースを指すことがある。いくつかの構成では、制御部分702は、物理DL制御チャネル(PDCCH)であってよい。
【００５９】
図7に示すように、制御部分702の終わりは、ULデータ部分704の始まりから時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UL中心のサブフレームは、共通UL部分706も含み得る。図7における共通UL部分706は、図6を参照しながら上記で説明した共通UL部分606と同様であってよい。共通UL部分706は、追加または代替として、チャネル品質インジケータ(CQI)、サウンディング基準信号(SRS)に関する情報、および様々な他の適切なタイプの情報を含み得る。上記はUL中心のサブフレームの一例にすぎず、同様の特徴を有する代替構造が、必ずしも本明細書で説明する態様から逸脱することなく存在し得ることを、当業者は理解されよう。
【００６０】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００６１】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００６２】
LTE-NRデュアル接続性の例
現在、モバイルデバイスは、通常、単一のTRPからデータを受信する。しかしながら、ユーザは、低減されたデータスループット、遅延、増加したバッテリ使用、および他の欠点をもたらす不十分な接続を経験する場合がある。たとえば、ユーザはセルエッジ上にあって、データレートを制限することがある高いセル間干渉を経験する場合がある。別の例では、ユーザは、追加の通信容量が有益であると思われるシナリオを経験する場合がある。それに応じて、デュアル接続性(DC)は、ユーザが複数のTRPからデータを単独でおよび/または同時に送信および受信することを可能にする。たとえば、UEが、同時に2つの隣接するセル内の2つのセルタワーの範囲内にあるとき、UEは、2つの別個のストリーム内で2つのTRPからデータを送りおよび受信し得る。UEが両方のタワーの到達範囲内にあるとき、UEは、2つのタワーと同時に通信し得る。2つの異なるTRPからUEへの2つの独立したデータストリームを同時にスケジュールすることによって、デュアル接続性(DC)はネットワーク容量を活用し得る。さらに、別の例では、UEは、UEの要件に応じて2つのTRPのうちの1つを選択して通信してもよい。このことは、ユーザエクスペリエンスを改善しながら、ネットワーク容量を増大させることを助ける。
【００６３】
それに応じて、デュアル接続性(DC)は、携帯電話業界における利益となり得る。たとえば、DCは、ユーザがeNBおよびgNBに同時に接続されることを可能にすることによって、ユーザ一人当たりのスループットおよびモビリティロバストネス(mobility robustness)を著しく改善することができる。ユーザ一人当たりのスループットの増加は、少なくとも2つのNBからの無線リソースを集約することによって達成される。その上、デュアル接続性はまた、eNBとgNBとの間の負荷分散を助ける。さらに、現在、5G配置において、デュアル接続性(DC)によるLTE-NR間の緊密なインターワーキングアーキテクチャが、NRがユビキタスカバレージを有しないエリアを回避するために使用され得る。
【００６４】
キャリアアグリゲーションの例
さらに、UEは、ネットワーク内の1つまたは複数のBSとの(たとえば、異なるコンポーネントキャリア、周波数、空間ビームなどの上の通信に対応する)複数のワイヤレス接続を有し得る。たとえば、キャリアアグリゲーション(CA)では、UEは、(たとえば、同じまたは異なる周波数を有する)複数のコンポーネントキャリアを使用して複数のセル(たとえば、1次セル(PCell)および1つまたは複数の2次セル(SCell))内で通信し得る。複数のコンポーネントキャリアが、単一のBSおよび/または複数のBSと通信するために使用され得る。別の例では、デュアル接続性において、UEは、各BSに対する個別の接続を使用して複数のBSと通信し得る。いくつかの態様では、UEは、ネットワークとのワイヤレス接続の構成を決定するために使用することができるUEおよび/または複数のワイヤレス接続についての情報を有し得る。いくつかの態様では、UEは、デュアル無線アクセス技術(たとえば、LTEおよびNR)を使用して1つまたは複数のBSと通信し得る。
【００６５】
説明するように、ネットワーク(たとえば、ワイヤレスネットワーク100)内の1つまたは複数のBS(たとえば、BS110)およびUE(たとえば、UE120)は、複数のアクセス技術(たとえば、デュアル接続性、CAなど)をサポートし得る。たとえば、UE120は、1つまたは複数のBS110を介してネットワーク100と複数のワイヤレス接続(たとえば、異なるコンポーネントキャリア、周波数、空間ビームなどの上の通信に対応する)を形成し得る。場合によっては、UE120によるネットワーク100との通信に対する複数のワイヤレス接続の構成は、UE120によるのではなく、ネットワーク100(たとえば、BS110)自体によって決定される。
【００６６】
たとえば、いくつかの態様では、1つまたは複数のBS110およびUE120がCAをサポートし得、BS110およびUE120は、キャリアまたはコンポーネントキャリア(CC)と呼ばれる複数の周波数(たとえば、1つまたは複数の帯域幅の周波数の複数の範囲)上で通信することができる。これらのキャリアは、周波数において隣接してもしなくてもよい。CAがBS110によって使用されるとき、BS110は、各キャリアごとに1つ、複数のサービングセルをサポートする。各サービングセルのカバレージエリアは、異なることがある。いくつかの態様では、BS110に接続するUE120に対する(たとえば、ハンドオーバの間、無線リンク障害(RLF)の後、初期接続の間などの)無線リソース制御(RRC)接続手順は、1次セル(PCell)と呼ばれるセルのうちの1つをサービスするキャリアのうちの1つ(1次キャリアと呼ばれる)のみを使用してBS110によって対処される。残りのセルは、2次セル(SCell)と呼ばれ、残りのキャリア(2次キャリアと呼ばれる)によってサービスされる。
【００６７】
電力制御のための例示的な技法
いくつかの態様では、UE120は、複数のRAT(たとえば、LTEおよびNR)を使用して通信するための複数のモデムを有し得る。たとえば、いくつかの態様では、UE120は、第1のRAT(たとえば、NR)を使用して通信するための第1のモデムと、第2のRAT(たとえば、LTE)を使用して通信するための第2のモデムとを含む。いくつかの態様が、NR通信のためのモデムとLTE通信のためのモデムとを含むUE120に関して本明細書で説明されるが、同様の技法が、他のRATまたは他の数のRATのために使用され得ることに留意されたい。
【００６８】
UE120は、NRを使用するUL(NR ULと呼ばれる)上で通信するための第1のモデムとLTEを使用するUL(LTE ULと呼ばれる)上で通信するための第2のモデムとを使用するように構成され得る。いくつかの態様では、UE120は、NR UL上で第1のBS110と、およびLTE UL上で第2のBS110と通信する。第1のBS110および第2のBS110は、地理的にコロケートされ得る、個別の物理的ロケーション内にあり得る、同じ物理デバイス内にあり得る、等々であることに留意されたい。いくつかの態様では、UE120は、NR ULとLTE ULの一方または両方に対してキャリアアグリゲーションを使用し得ることに、さらに留意されたい。たとえば、UE120は、NR ULに対して複数のキャリア上で通信し得る。いくつかの態様では、UE120によるNR ULおよびLTE UL上の通信は、同じキャリア上であってもよく、異なるキャリア上であってもよい。
【００６９】
いくつかの態様では、UE120は、全体的最大出力電力パラメータ(たとえば、P_cmaxと呼ばれる公称最大電力)を用いて(たとえば、ネットワーク構成要素(たとえば、BS110)によって)構成され得る。P_cmaxは、UE120が所与の時間においてすべてのUL上で送信を試みるための全体的電力制限を示し得る。いくつかの態様では、(たとえば、UE120内で内部的に行われる)UE120のモデムの間の通信は、遅くなる場合がある。これは、問題となり得る。なぜならば、モデムは、それぞれのUL上で通信するために各モデムによって使用されている送信電力についての情報を速やかに交換することはできないからである。したがって、UE120のすべてのモデムの総送信電力は、P_cmaxを超える場合がある。たとえば、UE120の第1のモデムは、UE120の第2のモデムが第2の電力レベルにおいて送信するのと同時に、第1の電力レベルにおいて送信する場合がある。第1のモデムと第2のモデムとの間の通信が遅いことに起因して、第1のモデムは、第2のモデムが第2の電力レベルにおいて送信していることに気づかず、その逆も同様であり、それゆえ、第1の電力レベルと第2の電力レベルとの合計は、P_cmaxを超える場合がある。さらに、UE120の異なるUL間の相互変調は、UEが、時分割多重化(TDM)方式で異なるUL上で送信することを必要とする場合がある。
【００７０】
いくつかの態様では、UE120は、個別のRAT固有の最大出力電力パラメータ(たとえば、P_NRと呼ばれる、NRを使用して通信するための公称最大電力、およびP_LTEと呼ばれる、LTEを使用して通信するための公称最大電力)を用いて(たとえば、ネットワーク構成要素(たとえば、BS110)によって)構成され得る。したがって、NR UL通信に対して、UE120は送信電力をP_NRに制限し得、LTE UL通信に対して、UE120は送信電力をP_LTEに制限し得る。
【００７１】
いくつかの態様では、P_LTEおよびP_NRは、最大でP_cmaxの値として構成される。いくつかの態様では、P_LTE+P_NR=P_cmaxである。いくつかの態様では、P_LTE+P_NR>P_cmaxである。いくつかの態様では、ワイヤレスネットワーク100は、電力制限(たとえば、P_cmax)の一定の送信電力を優先するかまたは予約するように、(たとえば、BS110を介して)UE120を構成し得る。いくつかの態様では、P_LTE+P_NR>P_cmaxである場合、UE120の総送信電力(たとえば、LTE ULおよびNR UL上で同時に送信する間のP_LTE+P_NR)は、(たとえば、DL/UL LTE TTI/低減されたUE処理時間ベースの動作がUE120に対して構成されないとき)P_cmaxを超える場合がある。いくつかのそのような態様では、UE120は、P_cmax電力制限を満足するためにNR UL上で送信するために使用される電力をスケールダウンするように、またはさらに、NR UL送信をドロップするように構成され得る。NR UL通信が2つ以上のULキャリア上にある場合、NR UL送信を電力スケーリングまたはドロップすることが、2つ以上のULキャリアに対して個別にまたは一緒に行われる場合がある。
【００７２】
いくつかの態様では、P_NR<P_cmaxであるとき、UE120が、(たとえば、測定ギャップ、DL/UL構成などに基づくなど、UE120における(たとえば、BS110から受信された)半静的構成に基づいて)NR UL送信と同じ時間においてLTE UL送信が存在しないと決定するとき、UE120は、最大でP_cmaxで、NR UL上で送信するように構成され得る。
【００７３】
説明するように、いくつかの態様では、UE120は、UL上の複数の異なるキャリア上で通信するように構成され得る。いくつかの態様では、UE120は、LTE UL上の通信用ではなく、NR UL上の通信用に、1つまたは複数の異なるキャリアを使用し得る。いくつかのそのような態様では、UE120は、一度にキャリアのうちの1つだけの上で動作するように構成され得、UE120は、一度にLTE ULまたはNR ULのうちの1つだけの上で送信し得ることを意味する。いくつかの態様では、UE120によってLTE UL送信のために使用されるキャリアに対して、UE120は、UE120がLTE UL上で送信することができるときを示すダウンリンク基準信号(RS)を用いて構成され得る。たとえば、UE120は、DL基準UL/DL構成を用いて構成することができる。DL基準UL/DL構成は、LTE-TDD-PCellを有するLTE-TDD-FDD CA内のLTE-FDD-SCellに対して定義され得る。
【００７４】
いくつかの態様では、UL上のLTE FDDキャリアのUL送信/HARQタイミングをスケジュールするために、LTE-TDD-PCellを有するLTE-TDD-FDD CA内のLTE-FDD-SCellに対して定義されたDL基準UL/DL構成が適用される。いくつかの態様では、UE120は、少なくとも、LTE UL送信がDL基準UL/DL構成に基づいて許可(たとえば、スケジュール)されないサブフレーム内で、NR UL送信を送信することができるように構成される。
【００７５】
いくつかの態様では、ネットワーク100(たとえば、BS110を介する)は、(たとえば、高調波による自己干渉を回避するために)(たとえば、UEごとに)DL/UL TDMを利用するように構成される。UE120は、任意のタイムスロット内のNR ULまたはLTE UL送信に対してスケジュールされ得る。同様に、UE120は、任意のタイムスロット内のNR DLまたはLTE DL送信に対してスケジュールされ得る。いくつかの態様では、UE120が複数のULキャリアを用いて構成されるが、一度に1つのULキャリア上でのみ動作することが仮定される場合、UE120は、任意のスロット内のNR UL送信に対してスケジュールすることができる。
【００７６】
1)P_NR<P_cmaxであるとき、UE120が(たとえば、測定ギャップ、DL/UL構成などに基づくなどUE120における(たとえば、BS110から受信された)半静的構成に基づいて)NR UL送信と同じ時間においてLTE UL送信が存在しないと決定するとき、UE120が最大でP_cmaxで、NR UL上で送信するように構成される場合と、2)DL基準UL/DL構成が、LTE-TDD-PCellを有するLTE-TDD-FDD CA内のLTE-FDD-SCellに対して定義される場合との両方においてなど、いくつかの態様では、いくつかの問題が生じる場合がある。たとえば、そのような態様では、UE120のNRモデムは、UE120のLTEモデムと通信しない場合がある。したがって、NRモデムは、LTEモデムのLTE送信電力を知らない。
【００７７】
さらに、NRモデムがLTEモデムのLTE送信電力を知らない場合でも、UE120は、(たとえば、DL/UL TDMがUE120において構成されるとき)NR UL内で送信するために、いずれかの任意のタイムスロット内で(たとえば、BS110を介するネットワーク100によって)スケジュールされ得る。UE120が送信電力に対してP_cmaxを超えることを許可されない場合、UE120は、その結果、P_cmaxを超えないようにUE120 UL送信をスケジュールするためにBS110(たとえば、LTE BS110)に頼ることはできない。
【００７８】
したがって、いくつかの態様では、UE120は、P_LTE+P_NR≦P_cmaxとなるように構成され得、UE120からのNR UL送信が、任意のUL TTI(たとえば、サブフレーム、スロットなど)内で(たとえば、BS110を介するネットワーク100によって)スケジュールされ得る。
【００７９】
追加または代替として、いくつかの態様では、UE120は、P_LTE+P_NR>P_cmaxとなるように構成され得、UE120からのNR UL送信は、LTE UL送信に対して(たとえば、したがって、基準TDD構成(たとえば、TDMパターン)に対して)指定(たとえば、スケジュール)される任意のUL TTI内で(たとえば、BS110を介するネットワーク100によって)スケジュールされない。
【００８０】
いくつかの態様では、UE120は、以下のシナリオ、すなわち、1)SCell ULが相互変調問題を有するときのLTE FDD CA、2) SCell ULが相互変調問題を有するときの異なるDL/UL構成を有するLTE TDD CA、または、3)相互変調問題を有するFDD PCell ULを有するLTE FDD-TDD CA、のうちの1つまたは複数においては、構成されたTDMパターンをサポートしない。
【００８１】
いくつかの態様では、異なるTDMパターンが、相互変調問題を回避するために使用され得る。たとえば、SCell ULが相互変調問題を有するときのLTE FDD CAに対して、FDD DL HARQおよびTDD UL HARQタイミングが、UE120とFDD SCellをサービスするBS110との間で実行される。別の例では、相互変調問題を有するFDD PCell ULを有するLTE FDD-TDD CAに対して、UE120およびBS110は、TDDセルDL-UL構成と同じであるUL基準構成を使用する。
【００８２】
図8は、本開示の態様による、ユーザ機器(UE)および/またはBSによるワイヤレス通信のための例示的な動作800を示す。動作800は、たとえば、図1のUE120および/またはBS110などのネットワークエンティティによって実行され得る。
【００８３】
動作800は、ブロック802において、ユーザ機器が第1の無線アクセス技術と関連付けられたアップリンク上の通信に対する第1の電力制限および第2の無線アクセス技術と関連付けられたアップリンク上の通信に対する第2の電力制限を有することに基づいて、複数のアップリンク送信時間のうちの任意のアップリンク送信時間内に、第1の無線アクセス技術と関連付けられたアップリンク上で通信するようにユーザ機器をスケジュールすることによって開始し、第1の電力制限と第2の電力制限の合計は、アップリンク上の通信に対する全体的電力制限以下である。ブロック804において、動作800は、第2の無線アクセス技術に対して指定されるアップリンク送信時間内に、第1の無線アクセス技術と関連付けられたアップリンク上でユーザ機器と通信することによって継続する。
【００８４】
図9は、本開示の態様による、ユーザ機器(UE)および/またはBSによるワイヤレス通信のための例示的な動作900を示す。動作900は、たとえば、図1のUE120および/またはBS110などのネットワークエンティティによって実行され得る。
【００８５】
動作900は、ブロック902において、ユーザ機器が第1の無線アクセス技術と関連付けられたアップリンク上の通信に対する第1の電力制限および第2の無線アクセス技術と関連付けられたアップリンク上の通信に対する第2の電力制限を有することに基づいて、第2の無線アクセス技術に対して指定されない複数のアップリンク送信時間のうちのアップリンク送信時間上でのみ、第1の無線アクセス技術と関連付けられたアップリンク上で通信するようにユーザ機器をスケジュールすることによって開始し、第1の電力制限と第2の電力制限の合計は、アップリンク上の通信に対する全体的電力制限より大きい。ブロック904において、動作900は、第2の無線アクセス技術に対して指定されないアップリンク送信時間内に、第1の無線アクセス技術と関連付けられたアップリンク上でユーザ機器と通信することによって継続する。
【００８６】
図10は、本開示の態様による、ユーザ機器(UE)によるワイヤレス通信のための例示的な動作1000を示す。動作1000は、たとえば、図1のUE120によって実行され得る。
【００８７】
動作1000は、ブロック1002において、第1の時間において、第1の無線アクセス技術と関連付けられたアップリンク上と第2の無線アクセス技術と関連付けられたアップリンク上の両方で通信するために、ユーザ機器のスケジューリングを示す情報をユーザ機器において受信することによって開始し、ユーザ機器は、第1の無線アクセス技術と関連付けられたアップリンク上の通信に対する第1の電力制限および第2の無線アクセス技術と関連付けられたアップリンク上の通信に対する第2の電力制限を有する。ブロック1004において、動作1000は、第1の電力制限と第2の電力制限の合計が、ユーザ機器によるアップリンク上の通信に対する全体的電力制限より大きいかどうかを決定することによって継続する。
【００８８】
ブロック1006において、動作1000は、第1の時間の間に第2の電力制限に基づいて、第2の無線アクセス技術と関連付けられたアップリンク上でユーザ機器によって通信することによって継続する。ブロック1008において、動作1000は、合計が全体的電力制限より大きいときに、第1の時間の間に第1の無線アクセス技術と関連付けられたアップリンク上で送信するために使用される電力をスケールダウンすること、または第1の時間の間に第1の無線アクセス技術と関連付けられたアップリンク上の送信をドロップすることによって継続する。
【００８９】
図11は、図8、図9および/または図10に示す動作など、本明細書で開示する技法に対する動作を実行するように構成された(たとえば、ミーンズプラスファンクション構成要素に対応する)様々な構成要素を含み得る通信デバイス1100を示す。通信デバイス1100は、トランシーバ1108に結合された処理システム1102を含む。トランシーバ1108は、本明細書で説明した様々な信号など、通信デバイス1100のための信号を、アンテナ1111を介して送受信するように構成される。処理システム1102は、通信デバイス1100によって受信されるおよび/または送信される処理信号を含めて、通信デバイス1100に対する処理機能を実行するように構成され得る。
【００９０】
処理システム1102は、コンピュータ可読媒体/メモリ1112にバス1106を介して結合されたプロセッサ1104を含む。いくつかの態様では、コンピュータ可読媒体/メモリ1112は、プロセッサ1104によって実行されると、図8、図9および/または図10に示した動作、または本明細書で論じる様々な技法を実行するための他の動作をプロセッサ1104に実行させる命令を記憶するように構成される。
【００９１】
いくつかの態様では、処理システム1102は、図8および/または図9に示す動作、または他のスケジュールする動作を実行するためのスケジューリング構成要素1114をさらに含む。加えて、処理システム1102は、図8、図9および/または図10に示す動作、または他の通信する動作を実行するための通信構成要素1116を含む。加えて、処理システム1102は、決定する動作を実行するための決定構成要素1118を含む。加えて、処理システム1102は、受信する動作を実行するための受信構成要素1120を含む。さらに、処理システム1102は、スケーリング/ドロッピング構成要素1122を含む。スケジューリング構成要素1114、通信構成要素1116、決定構成要素1118、受信構成要素1120、およびスケーリング/ドロッピング構成要素1122は、バス1106を介してプロセッサ1104に結合され得る。いくつかの態様では、スケジューリング構成要素1114、通信構成要素1116、決定構成要素1118、受信構成要素1120、およびスケーリング/ドロッピング構成要素1122は、ハードウェア回路であってもよい。いくつかの態様では、スケジューリング構成要素1114、通信構成要素1116、決定構成要素1118、受信構成要素1120、およびスケーリング/ドロッピング構成要素1122は、プロセッサ1104上で実行され動作されるソフトウェア構成要素であってもよい。
【００９２】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【００９３】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。特許請求の範囲内を含む本明細書で使用する「および/または」という用語は、2つ以上の項目の列挙において使用されるとき、列挙される項目のうちのいずれか1つが単独で採用されることが可能であること、または列挙される項目のうちの2つ以上の任意の組合せが採用されることが可能であることを意味する。たとえば、組成物が構成要素A、B、および/またはCを含むものとして説明される場合、組成物は、Aのみ、Bのみ、Cのみ、AとBとの組合せ、AとCとの組合せ、BとCとの組合せ、またはAとBとCとの組合せを含むことができる。
【００９４】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【００９５】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。たとえば、本出願および添付の特許請求の範囲で使用する冠詞「a」および「an」は、別段に規定されていない限り、または、単数形を対象とすることが文脈から明らかでない限り、一般に「1つまたは複数の」を意味するものと解釈されるべきである。別段に明記されていない限り、「いくつかの」という用語は、1つまたは複数を指す。さらに、「または」という用語は、排他的な「または」ではなく、包含的な「または」を意味するものとする。すなわち、別段に規定されていない限り、または、文脈から明らかでない限り、たとえば、「XはAまたはBを採用する」という句は、自然包含的置換のいずれかを意味するものとする。すなわち、たとえば、「XはAまたはBを採用する」という句は、以下の例のいずれかによって満たされる。XはAを採用する、XはBを採用する、またはXはAとBの両方を採用する。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【００９６】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示す動作が存在する場合、それらの動作は、同様の番号を付された対応する相当物であるミーンズプラスファンクション構成要素を有し得る。
【００９７】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【００９８】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。UE120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【００９９】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、相変化メモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１００】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１０１】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１０２】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。たとえば、本明細書で説明し、添付の図に示す動作を実行するための命令。
【０１０３】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピー(登録商標)ディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１０４】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１０５】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP
210  次世代AN(NG-AN)
300  分散型RAN
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  図
604  DLデータ部分
606  共通UL部分
700  図
702  制御部分
704  ULデータ部分
706  共通UL部分
800  動作
900  動作
1000  動作
1100  通信デバイス
1102  処理システム
1104  プロセッサ
1106  バス
1108  トランシーバ
1111  アンテナ
1112  コンピュータ可読媒体/メモリ
1114  スケジューリング構成要素
1116  通信構成要素
1118  決定構成要素
1120  受信構成要素
1122  スケーリング/削除構成要素
【図１】
2021505030.tif 000003
【図２】
2021505030.tif 000004
【図３】
2021505030.tif 000005
【図４】
2021505030.tif 000006
【図５】
2021505030.tif 000007
【図６】
2021505030.tif 000008
【図７】
2021505030.tif 000009
【図８】
2021505030.tif 000010
【図９】
2021505030.tif 000011
【図１０】
2021505030.tif 000012
【図１１】
2021505030.tif 000013
【国際調査報告】
2021505030.tif 000014
2021505030.tif 000015